(57)【要約】【課題】コンパクトな構成で防水機能を実現すると共に、設置の自由度を向上させる防水構造を提供する。また、この防水構造を備えた防水ケース及びプロジェクターを提供する。【解決手段】防水構造（第１防水構造１）は、収容部（防水ケース５の外装筐体５１）の内部と外部との空気を流動させる流路１３を構成する流路構成部（第１流路構成部１０）を備え、第１流路構成部１０は、筒形状に突出して形成される第１流路形成部材１１と、第１流路形成部材１１の先端部１１３から隙間Ｓ１〜Ｓ３を有して先端部１１３を囲むと共に、第１流路形成部材１１の外周面１１４、及びケース側開口部５３が形成される外装筐体５１の開口外面５３ｂの間に隙間Ｓ４，Ｓ５を有して設置される第１開口部１２１を有して箱形状に形成される第２流路形成部材１２と、を備え、隙間Ｓ１〜Ｓ５により流路１３が構成される。【選択図】図５
2019096755.tif 000002
【特許請求の範囲】
【請求項１】
電子機器を収容する収容部が有する開口部に対して設置されるべき防水構造であって、
前記収容部の内部と外部との空気を流動させる流路を構成する流路構成部を備え、
前記流路構成部は、
前記開口部の外周に沿って設置され、筒形状に突出して形成される第１流路形成部材と、
前記第１流路形成部材の先端部から隙間を有して前記先端部を囲むと共に、前記第１流路形成部材の外周面、及び前記開口部が形成される前記収容部の外面の間に隙間を有して設置される第１開口部を有して箱形状に形成される第２流路形成部材と、を備え、
前記隙間により前記流路が構成されることを特徴とする防水構造。
【請求項２】
請求項１に記載の防水構造であって、
前記第１流路形成部材の前記先端部は、外側に折曲または傾斜していることを特徴とする防水構造。
【請求項３】
請求項１または請求項２に記載の防水構造であって、
前記第２流路形成部材の前記第１開口部の外周部は、内側に折曲または傾斜していることを特徴とする防水構造。
【請求項４】
請求項３に記載の防水構造であって、
前記第１開口部の前記外周部と、外側に折曲または傾斜した前記先端部とは、隙間を有して重なることを特徴とする防水構造。
【請求項５】
請求項１〜請求項４のいずれか一項に記載の防水構造であって、
前記第１流路形成部材の前記外周面は、前記先端部の方向に行くに従い内側に傾斜して形成されていることを特徴とする防水構造。
【請求項６】
請求項１〜請求項５のいずれか一項に記載の防水構造であって、
前記第２流路形成部材の側面には、前記側面を貫通する孔を備えていることを特徴とする防水構造。
【請求項７】
電子機器を収容する収容部が有する開口部に対して設置されるべき防水構造であって、
前記収容部の内部と外部との空気を流動させる流路を構成する流路構成部を備え、
前記流路構成部は、
前記開口部の外周に沿って開口する第１開口部、及び前記第１開口部に相対する位置に第２開口部を備え、筒形状に形成される第１流路形成部材と、
前記第１流路形成部材の内部で、前記第１開口部及び前記第２開口部に相対して前記第１開口部及び前記第２開口部の外形よりも大きく形成されると共に、前記第１開口部及び前記第２開口部の外周部を含めた前記第１流路形成部材の内面に隙間を有して設置される第２流路形成部材と、を備え、
前記隙間により前記流路が構成されることを特徴とする防水構造。
【請求項８】
請求項７に記載の防水構造であって、
前記第１流路形成部材の側面の外周面は、前記第１開口部の方向に傾斜して形成されていることを特徴とする防水構造。
【請求項９】
請求項８に記載の防水構造であって、
前記第１流路形成部材の前記側面には、前記側面を貫通する孔を備えていることを特徴とする防水構造。
【請求項１０】
請求項１〜請求項９のいずれか一項に記載の防水構造を備えたことを特徴とする防水ケース。
【請求項１１】
請求項１〜請求項９のいずれか一項に記載の防水構造を備えたことを特徴とするプロジェクター。
【発明の詳細な説明】
【技術分野】
【０００１】
本発明は、防水構造、防水構造を備えた防水ケース及びプロジェクターに関する。
【背景技術】
【０００２】
従来、電子機器は屋内で使用されことが一般的であったが、近年は、屋外で使用されることも多くなってきている。電子機器を屋外で使用する場合、当然のことながら、電子機器を雨滴から保護するための防水性を確保することが必要となる。また、電子機器の発熱に伴う熱を外部に排気することで、電子機器の内部の温められた空気と外気とを交換することも必要となる。
【０００３】
特許文献１では、屋外に設置する電子機器の筐体に形成された開口部に対向して筐体の外側に隙間を有して近接して配置されたカバー部材と、カバー部材と筐体との間の隙間に配置されて開口部の周囲に取り付けられた防水壁と、を備えた換気装置が開示されている。
【０００４】
特許文献２では、収容部に収容された電気機器によって熱せられた空気を、ファンによって収容部の外に排出するための天井出口部を有する筐体主部と、天井部の上面を、間隔をあけて覆い、間隔部分にファンによって付勢されて天井出口部から流出した空気の通流部を形成するように設けられた日除け部材と、日除け部材の外周端部に下向きに形成され通流部を流れた空気を外部に排出する排気部と、を備えた電気機器収納装置が開示されている。
【先行技術文献】
【特許文献】
【０００５】
【特許文献１】特開２０１３−６２４２５号公報
【特許文献２】特開２０１４−１２０５３６号公報
【発明の概要】
【発明が解決しようとする課題】
【０００６】
特許文献１に開示する換気装置、及び特許文献２に開示する電気機器収納装置は、屋外で使用する場合、設置する方向を一方向に固定して使用する形態のものである。このため、電子機器の設置において、例えば上面や下面を上下逆転させた設置や、左右となる側面を上下方向に回転させた設置等に対しては、防水機能は保障されず適用できないという課題がある。
また、特許文献１や特許文献２において、屋根部材や日除け部材は、雨水の侵入防止や日よけの機能を果たしている。しかし、屋根部材や日除け部材は、電子機器を収容する筐体や収容部の上部全体を覆うため、大きな形状となる。このように、防水機能を果たす構成がコンパクトな構成ではないため、装置が大型化するという課題がある。
【０００７】
従って、コンパクトな構成で防水機能を実現すると共に、設置の自由度を向上させる防水構造が要望されていた。また、この防水構造を備えた防水ケース及びプロジェクターが要望されていた。
【課題を解決するための手段】
【０００８】
本発明は、上述の課題の少なくとも一部を解決するためになされたものであり、以下の形態または適用例として実現することが可能である。
【０００９】
［適用例１］本適用例に係る防水構造は、電子機器を収容する収容部が有する開口部に対して設置されるべき防水構造であって、収容部の内部と外部との空気を流動させる流路を構成する流路構成部を備え、流路構成部は、開口部の外周に沿って設置され、筒形状に突出して形成される第１流路形成部材と、第１流路形成部材の先端部から隙間を有して先端部を囲むと共に、第１流路形成部材の外周面、及び開口部が形成される収容部の外面の間に隙間を有して設置される第１開口部を有して箱形状に形成される第２流路形成部材と、を備え、隙間により流路が構成されることを特徴とする。
【００１０】
本適用例の防水構造によれば、流路構成部が第１流路形成部材と第２流路形成部材とで構成される。そして、第１流路形成部材は開口部の外周に沿って筒形状に突出して形成される。また、第２流路形成部材は、第１流路形成部材の先端部から隙間を有して先端部を囲むと共に、第１流路形成部材の外周面、及び開口部が形成される収容部の外面の間に隙間を有して設置される第１開口部を有して箱形状に形成される。そして、流路は、上述する第１流路形成部材と第２流路形成部材とにより形成される隙間により構成される。
これにより、収容部の内部と外部との空気を流動させる流路を、折り返す状態となるように構成することができる。このように折り返す状態に構成される流路により、雨滴が流路構成部の内部に侵入しづらくなるため、防水機能を実現することができる。また、流路構成部が第１流路形成部材と第２流路形成部材とで構成されることにより、コンパクトな構成で防水構造を実現することができる。また、この防水構造が上方向、横方向に向いて設置されても、雨滴に対して防水機能を発揮することができる。これにより、防水構造の設置の自由度を向上させることができる。
【００１１】
［適用例２］上記適用例に係る防水構造において、第１流路形成部材の先端部は、外側に折曲または傾斜していることが好ましい。
【００１２】
本適用例の防水構造によれば、第１流路形成部材の先端部が外側に折曲または傾斜していることにより、雨滴が先端部から内部に侵入しづらくなるため、防水性能が向上する。
【００１３】
［適用例３］上記適用例に係る防水構造において、第２流路形成部材の第１開口部の外周部は、内側に折曲または傾斜していることが好ましい。
【００１４】
本適用例の防水構造によれば、第１開口部の外周部が内側に折曲または傾斜していることにより、雨滴が外周部から内部に侵入しづらくなるため、防水性能が向上する。
【００１５】
［適用例４］上記適用例に係る防水構造において、第１開口部の外周部と、外側に折曲または傾斜した先端部とは、隙間を有して重なることが好ましい。
【００１６】
本適用例の防水構造によれば、第１開口部の外周部と、外側に折曲または傾斜した前記先端部とが、隙間を有して重なることにより、流路を更に折り返す状態に構成することができ、雨滴が外周部から内部に更に侵入しづらくなるため、防水性能が更に向上する。
【００１７】
［適用例５］上記適用例に係る防水構造において、第１流路形成部材の外周面は、先端部の方向に行くに従い内側に傾斜して形成されていることが好ましい。
【００１８】
本適用例の防水構造によれば、第１流路形成部材の外周面が、先端部の方向に行くに従い内側に傾斜して形成されることにより、雨滴溜りを形成することができることで、雨滴が先端部から内部に侵入しづらくなり、防水性能が更に向上する。
【００１９】
［適用例６］上記適用例に係る防水構造において、第２流路形成部材の側面には、側面を貫通する孔を備えていることが好ましい。
【００２０】
本適用例の防水構造によれば、第２流路形成部材の側面に、側面を貫通する孔を備えることにより、第２流路形成部材の側面内部に雨滴が侵入しても、孔を介して外部に排出させることができるため、防水性能が更に向上する。
【００２１】
［適用例７］本適用例に係る防水構造は、電子機器を収容する収容部が有する開口部に対して設置されるべき防水構造であって、収容部の内部と外部との空気を流動させる流路を構成する流路構成部を備え、流路構成部は、開口部の外周に沿って開口する第１開口部、及び第１開口部に相対する位置に第２開口部を備え、筒形状に形成される第１流路形成部材と、第１流路形成部材の内部で、第１開口部及び第２開口部に相対して第１開口部及び第２開口部の外形よりも大きく形成されると共に、第１開口部及び第２開口部の外周部を含めた第１流路形成部材の内面に隙間を有して設置される第２流路形成部材と、を備え、隙間により流路が構成されることを特徴とする。
【００２２】
本適用例の防水構造によれば、流路構成部が第１流路形成部材と第２流路形成部材とで構成される。そして、第１流路形成部材は、開口部の外周に沿って開口する第１開口部、及び第１開口部に相対する位置に第２開口部を備え、筒形状に形成される。また、第２流路形成部材は、第１流路形成部材の内部で、第１開口部及び第２開口部に相対して第１開口部及び第２開口部の外形よりも大きく形成されると共に、第１開口部及び第２開口部の外周部を含めた第１流路形成部材の内面に隙間を有して設置される。そして、流路は、上述する第１流路形成部材と第２流路形成部材とにより形成される隙間により構成される。
これにより、収容部の内部と外部との空気を流動させる流路を、折り返す状態となるように構成することができる。このように折り返す状態に構成される流路により、雨滴が流路構成部の内部に侵入しづらくなるため、防水機能を実現することができる。また、流路構成部が第１流路形成部材と第２流路形成部材とで構成されることにより、コンパクトな構成で防水構造を実現することができる。また、この防水構造が上方向以外の横方向に向いて設置されても、雨滴に対して防水機能を発揮することができる。これにより、防水構造の設置の自由度を向上させることができる。
【００２３】
［適用例８］上記適用例に係る防水構造において、第１流路形成部材の側面の外周面は、第１開口部の方向に傾斜して形成されていることが好ましい。
【００２４】
本適用例の防水構造によれば、第１流路形成部材の側面の外周面は、第１開口部の方向に傾斜して形成されることにより、第１流路形成部材の側面の外周面を伝わった雨滴が、第１開口部から離れる方向に外周面を伝わって流れ易くなるため、防水性能を向上させることができる。
【００２５】
［適用例９］上記適用例に係る防水構造において、第１流路形成部材の側面には、側面を貫通する孔を備えていることが好ましい。
【００２６】
本適用例の防水構造によれば、第１流路形成部材の側面に、側面を貫通する孔を備えることにより、第１流路形成部材の側面内部に雨滴が侵入しても、孔を介して外部に排出させることができる。また、側面の外周面が第１開口部の方向に傾斜して形成されている場合には、孔から排出された雨滴が収容部に形成される開口部から離れる方向に外周面を伝わって流れ易くなるため、防水性能を向上させることができる。
【００２７】
［適用例１０］本適用例に係る防水ケースは、上述したいずれかの防水構造を備えたことを特徴とする。
【００２８】
本適用例の防水ケースによれば、防水ケースに設けられた例えば２つの開口部に防水構造を備える（この場合、防水ケースが収容部に対応し、２つの開口部が収容部の開口部に対応する）ことにより、防水ケースの内部（収容部の内部）に設置された電子機器に対する防水性能を向上させることができる。また、防水構造はコンパクトに構成されるため、コンパクトな防水ケースとすることができる。また、防水ケースに電子機器を収容した場合にも、防水ケースの向き（防水構造の向き）を上方向（適用例１の防水構造を用いる場合）、横方向に向けて設置しても、雨滴に対して防水機能を確保することができることにより、屋外での電子機器の設置の自由度を向上させることができる。
なお、この防水構造（流路）を介して、防水ケースの内部に外気を吸気すること、及び防水ケースの外部に内気を排気することが可能となる。そのため、開口部の一方に設けられた防水構造（流路）を介して外気を吸気し、開口部の他方に設けられた防水構造（流路）を介して電子機器の発熱に伴う熱を外部に排気することで、電子機器内部の発熱源を冷却することができ、電子機器の発熱を抑制することができる。
【００２９】
［適用例１１］本適用例に係るプロジェクターは、上述したいずれかの防水構造を備えたことを特徴とする。
【００３０】
本適用例のプロジェクターによれば、プロジェクターの例えば吸気口や排気口に防水構造を備える（この場合、プロジェクターの外装筐体が収容部に対応し、吸気口、排気口が収容部の開口部に対応する）ことで、プロジェクターの防水性能を向上させることができる。また、防水構造はコンパクトに構成されるため、コンパクトなプロジェクターとすることができる。また、プロジェクターに防水構造を設置した場合、防水構造が上方向（適用例１の防水構造を用いる場合）、横方向に向けた設置としても、雨滴に対して防水機能を確保することができることにより、屋外でのプロジェクターの設置の自由度を向上させることができる。
なお、吸気口に設置した防水構造（流路）を介してプロジェクター内部に外気を吸気すること、及び排気口に設置した防水構造（流路）を介してプロジェクター外部に内気を排気することが可能となる。そのため、外気をプロジェクター内部に吸気し、プロジェクター内部の発熱源に外気を吹き付け、発熱源の発熱により温まった内気をプロジェクター外部に排気することで、プロジェクター内部の発熱源を冷却することができ、プロジェクターの発熱を抑制することができる。
【図面の簡単な説明】
【００３１】
【図１】実施形態に係る第１防水構造の外観斜視図。
【図２】実施形態に係る第２防水構造の外観斜視図。
【図３】第１防水構造、第２防水構造、防水ケース、及びプロジェクターを上方向から見た場合の構成を示す模式図。
【図４】第１防水構造の斜視断面図。
【図５】第１防水構造を防水ケースに設置した状態を示す断面図。
【図６】第２防水構造の斜視断面図。
【図７】第２防水構造を防水ケースに設置した状態を示す断面図。
【発明を実施するための形態】
【００３２】
以下、防水構造の実施形態を説明する。なお、説明の便宜上、各図において、構成や部材の縮尺を異ならせて図示している。
【００３３】
〔実施形態〕
図１は、実施形態に係る第１防水構造１の外観斜視図である。図２は、実施形態に係る第２防水構造２の外観斜視図である。なお、図１、図２では、第１防水構造１、第２防水構造２を設置した防水ケース５、及び防水ケース５の内部に収容したプロジェクター８を含めて図示している。以降では、第１防水構造１を単に防水構造１ともいう。また、同様に、第２防水構造２を単に防水構造２ともいう。
【００３４】
図３は、第１防水構造１、第２防水構造２、防水ケース５、及びプロジェクター８を上方向から見た場合の構成を示す模式図である。図４は、第１防水構造１の斜視断面図である。図５は、第１防水構造１を防水ケース５に設置した状態を示す断面図である。図６は、第２防水構造２の斜視断面図である。図７は、第２防水構造２を防水ケース５に設置した状態を示す断面図である。
【００３５】
各図において、説明の便宜上、第１防水構造１、第２防水構造２、防水ケース５、及びプロジェクター８を含め、相互に直交する座標軸となるＸＹＺ座標系を付記する。また、本実施形態では、箱形状のプロジェクター８及びプロジェクター８を収容した箱形状の防水ケース５を水平に載置した姿勢を基準として方向を規定している。
【００３６】
詳細には、プロジェクター８に備える投写レンズ８２が光を射出する方向を前側または前方向（＋Ｘ方向）、反対方向を後側または後方向（−Ｘ方向）とする。また、プロジェクター８（防水ケース５）の上面方向（図１の図面の上方向）を上側または上方向（＋Ｚ方向）、反対方向（下面方向）を下側または下方向（−Ｚ方向）とする。また、前方向から見たプロジェクター８（防水ケース５）の右側を右方向（＋Ｙ方向）、反対方向を左側または左方向（−Ｙ方向）とする。以上のように方向を規定して以降の説明の中で適宜使用する。
【００３７】
本実施形態の第１防水構造１、第２防水構造２は、電子機器の一例としてのプロジェクター８を内部に収容する防水ケース５に設置されている。また、第１防水構造１は、本実施形態では、防水ケース５のケース側開口部５３（図３、図５参照）に設置され、外気Ｗ１を防水ケース５内部に吸気する吸気用に使用される。また、第２防水構造２は、本実施形態では、防水ケース５のケース側開口部５４（図３、図７参照）に設置され、防水ケース５の内部の空気（内気）を外部に排気する排気用に使用される。
【００３８】
プロジェクター８は、光源から射出された光を、画像情報に応じて光変調装置で変調し、投写レンズ８２を介して変調された光を画像として拡大投写する装置である。プロジェクター８は、本実施形態では、図１、図３に示すように、６面体の概扁平な箱形状に形成される外装筐体８１の内部に光源（図示省略）、光変調装置（図示省略）、及び前側の側面（前面８１ａ）に投写レンズ８２等を備えた光学ユニット（図示省略）を備えている。
【００３９】
プロジェクター８は、図１、図３に示すように、外装筐体８１の右側の側面（右面８１ｃ）に、外気Ｗ１を吸気するための吸気口８３を備えている。また、プロジェクター８は、図２、図３に示すように、外装筐体８１の後側の側面（背面８１ｂ）に、プロジェクター８内部の空気を外部に排気する排気口８４を備えている。
【００４０】
また、図３に示すように、プロジェクター８は、吸気口８３を介して外気Ｗ１を吸気する吸気用ファン８５や、排気口８４を介して内部の空気を排気する排気用ファン８６を外装筐体８１の内部に備えている。また、プロジェクター８は、プロジェクター８を動作させる回路ブロック（図示省略）や動作を統括制御する制御部（図示省略）等を備えている。
【００４１】
防水ケース５は、本実施形態では、図１、図３に示すように、プロジェクター８と同様に、６面体の概扁平な箱形状で中空の外装筐体５１で構成され、内部にプロジェクター８を収容している。なお、防水ケース５の外装筐体５１が、電子機器を収容する収容部に対応している。防水ケース５は、外装筐体５１の前側の側面（前面５１ａ）で投写レンズ８２に相対する領域は透明部材で構成され、投写レンズ８２から射出された光を透過する透過部５２が構成されている。これにより、プロジェクター８は、防水ケース５の透過部５２を介して投写された画像を屋外の投写面（図示省略）等に投写することができる。
【００４２】
また、防水ケース５は、前面５１ａの透過部５２の右側に、後述する第１防水構造１を介して、外気Ｗ１を吸気するケース側開口部５３（図３、図５参照）が矩形状に開口されている。なお、ケース側開口部５３の内側側面には、図３、図５に示すように、防塵フィルター５６と吸気用ファン５７とが設置されている。なお、吸気用ファン５７として、本実施形態では、遠心ファン（いわゆるシロッコファン）を用いている。シロッコファンは、回転軸方向から吸気した空気を、回転による遠心力方向に吐出するファンである。
【００４３】
また、防水ケース５は、後側の側面（背面５１ｂ）でプロジェクター８の排気口８４に相対する領域に、後述する第２防水構造２を介して、内気Ｗ２（図７参照）を外部に排気するケース側開口部５４（図３、図７参照）が円形状に開口されている。なお、内気Ｗ２とは、プロジェクター８が排気口８４を介して排気するプロジェクター８内部の空気と、防水ケース５の内部でプロジェクター８の外部となる領域の空気を含めている。
【００４４】
ケース側開口部５４の内側側面には、図３、図７に示すように、排気用ファン５８が設置されている。排気用ファン５８として、本実施形態では、軸流ファンを用いている。軸流ファンは、ファンの回転軸方向の一方から吸入した空気を、ファンの回転軸方向の他方に吐出するファンである。なお、吸気用ファン５７及び排気用ファン５８の駆動は、防水ケース５内部に設置される図示省略する駆動部により制御されて駆動する。
【００４５】
また、防水ケース５は、背面５１ｂの略中央部に、プロジェクター８への電源を供給する電源ケーブルの他、ＬＡＮケーブル、オーディオケーブル等の各種ケーブルの防水を確保する防水部材（図示省略）が設置されている。そして、各種ケーブルは、プロジェクター８の背面８１ｂに設置されているケーブル接続部（図示省略）にそれぞれ接続される。
【００４６】
防水ケース５の上面５１ｅ、下面５１ｆ、右面５１ｃ、及び左面５１ｄには、防水ケース５を被設置部材（図示省略）に設置させるための図示省略する固定部が形成されている。この固定部により、防水ケース５は、各種の向きで固定することができる。言い換えると、防水ケース５に収容されたプロジェクター８の向きは、上面８１ｅ及び下面８１ｆを上下反転した向きや、右面８１ｃや左面８１ｄが上下方向となる向きで固定することが可能となる。
【００４７】
次に、第１防水構造１に関して説明する。
図１、図４、図５に示すように。防水構造１は、プロジェクター８を収容する収容部としての防水ケース５に設置される。防水構造１は、防水ケース５の内部と外部との空気を流動させる流路１３を構成する第１流路構成部１０を備えている。第１流路構成部１０は、第１流路形成部材１１と第２流路形成部材１２とを備えて構成されている。なお、防水構造１は、本実施形態では、後述する防水ケース５の前面５１ａに設置されている。
【００４８】
第１流路形成部材１１は、図４、図５に示すように、防水ケース５の前面５１ａに形成された概矩形状のケース側開口部５３の外周に沿って、断面矩形状の筒形状に突出して形成されている。第１流路形成部材１１は、固定側の端部に、ケース側開口部５３の開口断面５３ａ及び開口外面５３ｂに防水性を確保して、挿入及び当接する挿入部１１１及び当接部１１２が全周にわたって形成されている。
【００４９】
また、第１流路形成部材１１の先端部１１３は、全周にわたって外側に折曲して形成されている。また、第１流路形成部材１１の外周面１１４は、本実施形態では、全周にわたって先端部１１３の方向に行くに従い内側に傾斜し、外周面１１４が内側に凹状に窪む状態に形成されている。言い換えると、外周面１１４は、先端部１１３の方向に外周長さを縮小して形成されている。なお、この外周面１１４の凹状の部分が雨滴の貯留部１１５として機能する。
【００５０】
第２流路形成部材１２は、図４、図５に示すように、第１流路形成部材１１の先端部１１３から隙間（空間）を有し、先端部１１３を囲む状態に形成されている。また、第２流路形成部材１２は、第１流路形成部材１１の外周面１１４、及びケース側開口部５３の開口外面５３ｂの間に隙間を有して設置される第１開口部１２１を有し、前側（＋Ｘ方向）から見た場合、矩形状の箱形状で中空に形成されている。
【００５１】
ここで、第２流路形成部材１２において、先端部１１３に対向する前側の側面を前面１２ａとし、前面１２ａに対向する防水ケース５側の面（第１開口部１２１が形成される側面）を背面１２ｂとする。また、先端部１１３に対向する右側面を右面１２ｃ、左側面を左面１２ｄ、上側面を上面１２ｅ、下側面を下面１２ｆとする。
【００５２】
ここで、図５に示すように、背面１２ｂは、第１開口部１２１が構成されているため、第１開口部１２１の外周部が背面１２ｂに対応する。なお、背面１２ｂ（第１開口部１２１の外周部）は、言い換えると、内側に折曲して形成されている。
【００５３】
なお、ここで、先端部１１３と前面１２ａの内面との隙間を隙間Ｓ１とする。また、先端部１１３と、上面１２ｅ、下面１２ｆ、左面１２ｄ、右面１２ｃの内面とのそれぞれの隙間を隙間Ｓ２とする。また、先端部１１３と背面１２ｂの内面との隙間を隙間Ｓ３とする。また、第１流路形成部材１１の外周面１１４と背面１２ｂ（第１開口部１２１）との隙間を隙間Ｓ４とする。また、ケース側開口部５３が形成される防水ケース５（外装筐体５１）の開口外面５３ｂと背面１２ｂ（第１開口部１２１）との隙間を隙間Ｓ５とする。
【００５４】
第２流路形成部材１２の側面となる、上面１２ｅ、下面１２ｆ、左面１２ｄ、右面１２ｃ、及びそれぞれのコーナー部分の中央部分には、側面を貫通する孔１２２が所定のピッチで形成されている。孔１２２は、第２流路形成部材１２の内面に雨滴が入った場合に、この孔１２２を介して外部に排出させる機能を有している。
【００５５】
なお、図４に示すように、第１流路形成部材１１と第２流路形成部材１２とには、防水構造１を防水ケース５のケース側開口部５３の周囲に固定する固定部１５が形成されている。固定部１５は、第１流路形成部材１１と第２流路形成部材１２のコーナー部に形成されている。そして、固定部１５に挿通されたネジ（図示省略）により防水ケース５の開口外面５３ｂの所定の部位に形成された固定部（図示省略）に螺合することで、防水構造１が防水ケース５に防水性を保持して固定される。
【００５６】
本実施形態の第１流路形成部材１１及び第２流路形成部材１２を組み合わせることにより、第１流路構成部１０が構成される。そして、第１流路構成部１０が構成されることで、隙間Ｓ１〜Ｓ４が形成される。この隙間Ｓ１〜Ｓ４により、空気を流通させる流路１３が折り返す状態となるように構成される。
【００５７】
また、防水ケース５のケース側開口部５３に、第１流路構成部１０を固定することにより、開口外面５３ｂと背面１２ｂ（第１開口部１２１）との間に隙間となる隙間Ｓ５が形成されることで、隙間Ｓ１〜Ｓ４に併せて、更に流路１３は折り返す状態に形成される。図５では、矢印により、折り返された状態の流路１３を流動する外気Ｗ１の流れを模式的に示している。
【００５８】
ここで、防水ケース５に備わる吸気用ファン５７が駆動することにより、外気Ｗ１は、防水構造１（第１流路構成部１０）の流路１３内に流入する。最初に、外気Ｗ１は隙間Ｓ５から流入する。隙間Ｓ５から流入した外気Ｗ１は、その後、隙間Ｓ４、隙間Ｓ３、隙間Ｓ２、隙間Ｓ１の順に折り返す状態で流路１３を流動する。そして、流路１３を流動した外気Ｗ１は、ケース側開口部５３に流入する。
【００５９】
ケース側開口部５３に流入した外気Ｗ１は、図３に示すように、防塵フィルター５６内を流動することにより、外気Ｗ１に含まれる塵埃が除去される。塵埃が除去された外気Ｗ１は、吸気用ファン５７内に流入して防水ケース５（外装筐体５１）内部に排気される。防水ケース５の内部に流入した外気Ｗ１は、本実施形態では、防水構造１の近くに設けられたプロジェクター８に備わる吸気用ファン８５が駆動することにより、外装筐体８１内部に流入する。そして、外装筐体８１内部に流入した外気Ｗ１は、外装筐体８１内部に設置されている発熱源に吹き付けられて発熱源の発熱を抑える。
【００６０】
以上のように構成される第１防水構造１により、以下の効果を奏することができる。
（１）本実施形態の第１防水構造１（第１流路構成部１０）によれば、第１流路形成部材１１と第２流路形成部材１２とにより形成される隙間Ｓ１から隙間Ｓ４（隙間Ｓ５も含め）により、流路１３が構成される。また、その流路１３は、折り返す状態となるように構成される。この折り返された状態に構成される流路１３により、雨滴が第１防水構造１に降りかかっても、第１防水構造１の内部（流路１３）には侵入しづらくさせることができるため、防水機能を実現することができる。
【００６１】
（２）本実施形態の第１防水構造１（第１流路構成部１０）によれば、第１流路形成部材１１の先端部１１３が外側に折曲していることにより、雨滴が先端部１１３から流路１３内部に侵入しづらくなるため、防水性能が向上する。
【００６２】
（３）本実施形態の第１防水構造１（第１流路構成部１０）によれば、第２流路形成部材１２の第１開口部１２１の外周部（背面１２ｂに対応）が内側に折曲していることにより、雨滴が外周部から流路１３内部に侵入しづらくなるため、防水性能が向上する。
【００６３】
（４）本実施形態の第１防水構造１（第１流路構成部１０）によれば、第１流路形成部材１１の外周面１１４が、先端部１１３の方向に行くに従い内側に傾斜して形成されることにより、雨滴溜り（貯留部１１５）を形成することができることで、雨滴が先端部１１３から流路１３内部に侵入しづらくなり、防水性能が更に向上する。
【００６４】
（５）本実施形態の第１防水構造１（第１流路構成部１０）によれば、第２流路形成部材１２の側面（上面１２ｅ、下面１２ｆ、左面１２ｄ、右面１２ｃ）に、側面を貫通する孔１２２を備えることにより、第２流路形成部材１２の側面内部に雨滴が侵入しても、孔１２２を介して外部に排出させることができるため、防水性能が更に向上する。
【００６５】
（６）本実施形態の第１防水構造１（第１流路構成部１０）によれば、第１流路形成部材１１と第２流路形成部材１２と言う簡単な構成により防水構造をコンパクトに構成することができる。
【００６６】
（７）本実施形態の防水ケース５は、上述した第１防水構造１を備えるため、防水ケース５の内部（収容部の内部）に設置された電子機器（本実施形態ではプロジェクター８）に対する防水性能を向上させることができる。また、第１防水構造１はコンパクトに構成されるため、防水ケース５の大型化を防止して、コンパクトな防水ケース５を実現することができる。
【００６７】
（８）本実施形態の第１防水構造１（第１流路構成部１０）によれば、防水構造１が上方向、横方向に向いて設置されても、雨滴に対して防水機能を発揮することができる。これにより、防水構造１の設置の自由度を向上させることができる。これらにより、防水ケース５の設置の自由度も向上することで、プロジェクター８の設置の自由度を向上させることができる。
【００６８】
（９）本実施形態の第１防水構造１（第１流路構成部１０）によれば、第１流路構成部１０の流路１３を介して、防水ケース５の内部に外気Ｗ１を吸気することができる。防水ケース５の内部に外気Ｗ１を吸気することにより、プロジェクター８の内部に外気Ｗ１を吸気することができ、発熱源に外気Ｗ１を吹き付けて、発熱源の熱を冷却することができる。
【００６９】
第１防水構造１は、変更や改良等を加えて実施することが可能である。変形例を以下に述べる。
【００７０】
本実施形態の第１防水構造１（第１流路構成部１０）は、挿入部１１１と当接部１１２との境界部に、防水用のパッキン等を設置することで、この領域から侵入する雨滴に対する防水性を更に向上させることができる。
【００７１】
本実施形態の第１防水構造１（第１流路構成部１０）において、第１流路形成部材１１の先端部１１３は、全周にわたって外側に折曲して形成されているが、全周にわたって外側に傾斜して形成されていてもよく、雨滴が先端部１１３から流路１３内部に侵入しづらくなるため、防水性能が向上する。
【００７２】
本実施形態の第１防水構造１（第１流路構成部１０）において、第１開口部１２１の外周部となる背面１２ｂと、第１流路形成部材１１の先端部１１３とは平面視（前側（＋Ｘ方向）から見た場合）で、重なってはいない。しかし、隙間を有して重なるように構成することで、新たに隙間を形成することでもよい。言い換えると、第１開口部１２１の外周部（背面１２ｂ）と、外側に折曲または傾斜した先端部１１３とは、隙間を有して重なることでもよい。このように構成することにより、更に流路１３の折り返し長さを確保することができることで、防水性能を向上させることができる。
【００７３】
本実施形態の第１防水構造１（第１流路構成部１０）において、第１開口部１２１の外周部（背面１２ｂに対応）は内側に折曲しているが、傾斜していてもよく、雨滴が外周部から流路１３内部に侵入しづらくなるため、防水性能が向上する。
【００７４】
本実施形態の第１防水構造１（第１流路構成部１０）において、第１流路形成部材１１は、断面矩形状の筒形状に突出して形成されているが、断面が矩形状以外の形状（例えば円形状、楕円形状等）の筒形状であってもよい。また、第２流路形成部材１２は、前側（＋Ｘ方向）から見た場合、矩形状の箱形状に形成されているが、矩形状以外の形状（例えば円形状、楕円形状等）の箱形状であってもよい。
【００７５】
本実施形態の第１防水構造１（第１流路構成部１０）は、外気Ｗ１を防水ケース５の内部に吸気する構造として構成している。しかし、この状態の第１防水構造１を、防水ケース５の内部の内気Ｗ２を外部に排気する構造として使用することも可能である。その場合、本実施形態の防水ケース５のケース側開口部５３に設置した吸気用ファン５７を排気用ファン（基本的には、遠心ファンでも軸流ファンでもよい）に置き換えることで内気Ｗ２を第１防水構造１の流路１３内に吐出することでよい。その場合、流路１３に吐出された内気Ｗ２は、吸気の場合とは反対方向に、流路１３を、隙間Ｓ１、隙間Ｓ２、隙間Ｓ３、隙間Ｓ４、隙間Ｓ５の順番に流動して第１防水構造１から外部に排気される。このような使用方法によっても、雨滴に対する防水性は確保される。
【００７６】
次に、第２防水構造２に関して説明する。
図２、図６、図７に示すように防水構造２は、プロジェクター８を収容する収容部としての防水ケース５に設置される。防水構造２は、防水ケース５の内部と外部との空気を流動させる流路２３を構成する第２流路構成部２０を備えている。第２流路構成部２０は、第１流路形成部材２１と第２流路形成部材２２とを備えて構成されている。なお、防水構造２は、本実施形態では、防水ケース５の背面５１ｂに設置されている。
【００７７】
第１流路形成部材２１は、図６、図７に示すように、防水ケース５の背面５１ｂに形成された円形状に形成されるケース側開口部５４の外周に沿って、その外周より大きく形成される略矩形状に開口する第１開口部２１１を備えている。また、第１流路形成部材２１は、第１開口部２１１に相対する位置に円形状に開口する第２開口部２１２を備え、筒形状で中空となる形状に形成されている。
【００７８】
ここで、第１流路形成部材２１において、第１開口部２１１が形成される側面を前面２１ａとし、第２開口部２１２が形成される側面を背面２１ｂとする。また、前面２１ａと背面２１ｂを結ぶ円柱形状の側面を外周面２１ｃとする。なお、前面２１ａは、第１開口部２１１の外周部に対応する。また、背面２１ｂは、第２開口部２１２の外周部に対応する。
【００７９】
防水構造２（第２流路構成部２０）は、後述する第２流路形成部材２２も含めて、第１流路形成部材２１の前面２１ａを、防水ケース５の背面５１ｂに接続部材（図示省略）を介し接続されることにより、防水ケース５に固定される。なお、接続部材としては、例えば、防水性を有するゴム系基材をベースとした粘着部材等を用いることができる。
【００８０】
また、第１流路形成部材２１は、図６、図７に示すように、外周面２１ｃの上側、下側の部位に平坦面２１３が形成されている。この平坦面２１３において、上側の平坦面を上平坦面２１３ａ、下側の平坦面を下平坦面２１３ｂとする。平坦面２１３（上平坦面２１３ａ、下平坦面２１３ｂ）は、第１開口部２１１の方向に傾斜して形成されている。詳細には、平坦面２１３（上平坦面２１３ａ、下平坦面２１３ｂ）は、第１開口部２１１の方向で外周面２１ｃの中心（第２開口部２１２の中心軸Ｊ）に向けて傾斜して形成されている。
【００８１】
平坦面２１３（上平坦面２１３ａ及び下平坦面２１３ｂ）が、第１開口部２１１の方向に傾斜して形成されていることにより、第１流路形成部材２１の上平坦面２１３ａを含めて外周面２１ｃを流動した雨滴が、下平坦面２１３ｂに流動した場合、第１開口部２１１から離れる方向に流れ易くなる。これにより、第１流路形成部材２１の前面２１ａと防水ケース５の背面５１ｂとの接続部分に流れる雨滴を減らすことができるため、防水効果を向上させることができる。
【００８２】
また、平坦面２１３（上平坦面２１３ａ及び下平坦面２１３ｂ）には、側面（平坦面２１３）を貫通する孔２１４が所定のピッチで形成されている。孔２１４は、第１流路形成部材２１の内面に雨滴が侵入した場合に、この孔２１４を介して外部に排出させる機能を有している。
【００８３】
第２流路形成部材２２は、図６、図７に示すように、第１流路形成部材２１の筒形状で中空の内部で、第１開口部２１１及び第２開口部２１２に相対して、第１開口部２１１及び第２開口部２１２の外形よりも大きく、概円板形状に形成されている。また、第２流路形成部材２２は、第１開口部２１１及び第２開口部２１２の外周部を含めた第１流路形成部材２１の内面に隙間を有して設置される。
【００８４】
第２流路形成部材２２は、上述したように概円板形状に形成されており、前面側の面を前面２２ａ、背面側の面を背面２２ｂとし、概円板形状の外周側の端面を外周端面２２ｃとする。
【００８５】
図７に示すように、第２流路形成部材２２は、第１開口部２１１の外周部となる前面２１ａの内面と、前面２２ａとの間に隙間を有している。この隙間を隙間Ｓ６とする。第２流路形成部材２２は、外周面２１ｃの内面と外周端面２２ｃとの間に隙間を有している。この隙間を隙間Ｓ７とする。また、第２流路形成部材２２は、第２開口部２１２の外周部となる背面２１ｂの内面と、背面２２ｂとの間に隙間を有している。この隙間を隙間Ｓ８とする。
【００８６】
図６、図７に示すように、第１流路形成部材２１の背面２１ｂの内面には、第２流路形成部材２２の背面２２ｂと平面視（後側（−Ｘ方向）から見た場合）で、重なる部位にリブ２１５が形成されている。リブ２１５は、第２開口部２１２の外周に沿って、第２開口部２１２の中心軸Ｊを中心に、所定のピッチ角度で放射状に複数形成されている。第２流路形成部材２２は、このリブ２１５に対して相対する背面２２ｂを当接させて固定される。
【００８７】
本実施形態の第１流路形成部材２１及び第２流路形成部材２２を組み合わせることにより、第２流路構成部２０が構成される。そして、第２流路構成部２０が構成されることで、隙間Ｓ６〜Ｓ８が形成される。この隙間Ｓ６〜Ｓ８により、空気を流通させる流路２３が折り返す状態となるように構成される。なお、図７では、矢印により、折り返された状態の流路２３を流動する内気Ｗ２の流れを模式的に示している。
【００８８】
ここで、防水ケース５に備わる排気用ファン５８が駆動することにより、防水ケース５内の内気Ｗ２は、排気用ファン５８からケース側開口部５４、防水構造２（第２流路構成部２０）の第１開口部２１１を介して、防水構造２の流路２３内に吐出される。
【００８９】
排気用ファン５８から吐出された内気Ｗ２は流路２３の隙間Ｓ６に流入する。隙間Ｓ６から流入した内気Ｗ２は、その後、隙間Ｓ７、隙間Ｓ８の順に折り返す状態で流路２３を流動する。そして、最後に、内気Ｗ２は隙間Ｓ８から第２開口部２１２を介して、第２流路構成部２０の外部に排気される。
【００９０】
なお、本実施形態では、図３に示すように、プロジェクター８に備わる排気用ファン８６により、プロジェクター８の内部の発熱源で温まった空気が排気口８４から排気される。その排気口８４から排気された温まった空気（内気Ｗ２）に対して、排気口８４の近くに設置された防水ケース５に備わる排気用ファン５８が駆動することで、上述したように、温まった内気Ｗ２を、防水構造２（第２流路構成部２０）を介して防水ケース５の外部に排気する。併せて、排気用ファン５８は、プロジェクター８の排気口８４から排気されて防水ケース５の内部を漂う内気Ｗ２を吸気して流路２３に吐出する。この一連の動作により、プロジェクター８内部の発熱する発熱源の温度を規格内に抑えることができる。
【００９１】
以上のように構成される第２防水構造２により、以下の効果を奏することができる。
（１）本実施形態の第２防水構造２（第２流路構成部２０）によれば、第１流路形成部材２１と第２流路形成部材２２とにより形成される隙間Ｓ６から隙間Ｓ８により、流路２３が構成される。また、この流路２３は、折り返す状態となるように構成される。この折り返された状態に構成される流路２３により、雨滴が第２防水構造２に降りかかっても、第２防水構造２の内部（流路２３）には侵入しづらくさせることができるため、防水機能を実現することができる。
【００９２】
（２）本実施形態の第２防水構造２（第２流路構成部２０）によれば、第１流路形成部材２１の側面の外周面２１ｃは、第１開口部２１１の方向に傾斜して形成され平坦面２１３を有している。この平坦面２１３により、第１流路形成部材２１の外周面２１ｃを伝わった雨滴が、平坦面２１３を介して第１開口部２１１から離れる方向に流れ易くなるため、防水性能を向上させることができる。
【００９３】
（３）本実施形態の第２防水構造２（第２流路構成部２０）によれば、第１流路形成部材２１の側面となる平坦面２１３に、側面を貫通する孔２１４を備えることにより、第１流路形成部材２１の側面内部に雨滴が侵入しても、孔２１４を介して外部に排出させることができる。これにより、防水性能が更に向上する。
【００９４】
（４）本実施形態の第２防水構造２（第２流路構成部２０）によれば、第１流路形成部材２１と第２流路形成部材２２という簡単な構成により防水構造をコンパクトに構成することができる。
【００９５】
（５）本実施形態の防水ケース５は、上述した第２防水構造２を備えるため、防水ケース５の内部（収容部の内部）に設置された電子機器（本実施形態ではプロジェクター８）に対する防水性能を向上させることができる。また、第２防水構造２はコンパクトに構成されるため、防水ケース５の大型化を防止して、コンパクトな防水ケース５を実現することができる。
【００９６】
（６）本実施形態の第２防水構造２（第２流路構成部２０）によれば、防水構造２が横方向、下方向に向いて設置されても、雨滴に対して防水機能を発揮することができる。これにより、防水構造２の設置の自由度を向上させることができる。これらにより、防水ケース５の設置の自由度も向上することで、プロジェクター８の設置の自由度を向上させることができる。
【００９７】
（７）本実施形態の第２防水構造２（第２流路構成部２０）によれば、第２流路構成部２０の流路２３を介して、防水ケース５の内部の空気（内気Ｗ２）及びプロジェクター８の内部の空気（内気Ｗ２）を防水ケース５の外部に排気することができる。これにより、プロジェクター８の内部の発熱源により温まった空気（内気Ｗ２）を排気することにより、発熱源の熱を冷却することができる。
【００９８】
本実施形態の第１防水構造１（第１流路構成部１０）及び第２防水構造２（第２流路構成部２０）によれば、防水構造１，２（流路１３，２３）を介して、防水ケース５の内部に外気Ｗ１を吸気すること、及び防水ケース５の外部に内気Ｗ２を排気することが可能となる。これにより、収容部としての防水ケース５の内部に収容されるプロジェクター８において、吸気された外気Ｗ１をプロジェクター８内部の発熱源に吹き付けることができ、発熱源の熱により温められた内気Ｗ２をプロジェクター８の外部（防水ケース５の外部）に排気することができる。従って、本実施形態の第１防水構造１及び第２防水構造２を防水ケース５に用いることにより、プロジェクター８内部の発熱源を冷却することができ、プロジェクター８の発熱を抑制することができる。
【００９９】
第２防水構造２は、変更や改良等を加えて実施することが可能である。変形例を以下に述べる。
【０１００】
本実施形態の第２防水構造２（第２流路構成部２０）において、第１流路形成部材２１の外周面２１ｃには、第１開口部２１１の方向に傾斜して形成される平坦面２１３が２つ（上平坦面２１３ａと下平坦面２１３ｂ）形成されている。しかし、これに限られず、左右方向に形成されてもよいし、所定の角度毎に形成されていてもよい。また、外周面２１ｃ全体が第１開口部２１１の方向に傾斜していてもよい。
【０１０１】
本実施形態の第２防水構造２（第２流路構成部２０）において、平坦面２１３（上平坦面２１３ａ及び下平坦面２１３ｂ）に孔２１４が形成されているが、平坦面２１３以外の外周面２１ｃに孔を形成してもよい。
【０１０２】
本実施形態の第２防水構造２（第２流路構成部２０）において、外周面２１ｃに平坦面２１３を形成しているが、平坦面は形成しなくてもよい。また、平坦面を形成しない外周面２１ｃに孔を形成することでもよく、防水性能を向上することができる。
【０１０３】
本実施形態の第２防水構造２（第２流路構成部２０）において、第１流路形成部材２１は、円柱形状の筒状に形成されているが、円柱形状以外の筒状（例えば矩形状の筒状、楕円形状の筒状等）に形成されていてもよい。また、第２流路形成部材２２は、概円板形状に形成されているが、円板形状以外（例えば矩形状、楕円形状等）の板状に形成されていてもよい。
【０１０４】
また、本実施形態において、第１防水構造１は防水ケース５における吸気側に用い、第２防水構造２は排気側に用いている。しかし、これには限られず、第１防水構造１を防水ケース５の排気側に用い、第２防水構造２を吸気側に用いることでもよい。従って、第１防水構造１及び第２防水構造２は、吸気側及び排気側のいずれの側にも使用することができる。
【０１０５】
本実施形態において、収容部としての防水ケース５の内部には、電子機器としてのプロジェクター８を収容している。しかし、プロジェクター以外の電子機器を収容することでもよい。
【０１０６】
本実施形態において、防水ケース５の外装筐体５１が、電子機器を収容する収容部に対応している。しかし、これには限られず、プロジェクターの外装筐体（例えば上述したプロジェクター８の外装筐体８１）を収容部としてもよい。そして、プロジェクターの吸気口（例えば吸気口８３）や排気口（例えば排気口８４）に、本実施形態の第１防水構造１や第２防水構造２を適宜用いることでもよい。
【０１０７】
この構成とした場合、吸気口や排気口以外の外装筐体の領域での防水構造は必要となるが、吸気口や排気口の領域においては、第１防水構造１や第２防水構造２により防水機能を実現（防水性能を向上）させることができる。この構成により、プロジェクター内部の発熱源を冷却することができ、プロジェクターの発熱を抑制することができる。また、第１防水構造１や第２防水構造２はコンパクトに構成されるため、コンパクトなプロジェクターとすることができる。また、第１防水構造１を上方向、横方向に向けた設置としても、雨滴に対して防水機能を確保することができることにより、屋外でのプロジェクターの設置の自由度を向上させることができる。
【符号の説明】
【０１０８】
１…防水構造としての第１防水構造、２…防水構造としての第２防水構造、５…防水ケース、８…プロジェクター、１０…第１流路構成部、１１…第１流路形成部材、１２…第２流路形成部材、１２ｂ…第１開口部の外周部に対応する背面、１２ｃ，１２ｄ，１２ｅ，１２ｆ…第２流路形成部材の側面に対応する右面、左面、上面、下面、１３…流路、２０…第２流路構成部、２１…第１流路形成部材、２１ａ…第１開口部の外周部に対応する前面、２１ｂ…第２開口部の外周部に対応する背面、２１ｃ…外周面、２２…第２流路形成部材、２３…流路、５１…収容部としての外装筐体、５３…収容部の開口部としてのケース側開口部、５３ｂ…収容部の外面としての開口外面、５４…収容部の開口部としてのケース側開口部、１１３…先端部、１１４…外周面、１１５…貯留部、１２１…第１開口部、１２２…孔、２１１…第１開口部、２１２…第２開口部、２１３…平坦面、２１３ａ…上平坦面、２１３ｂ…下平坦面、２１４…孔、Ｓ１，Ｓ２，Ｓ３，Ｓ４，Ｓ５…隙間、Ｓ６，Ｓ７，Ｓ８…隙間、Ｗ１…外気、Ｗ２…内気。
【図１】
2019096755.tif 000003
【図２】
2019096755.tif 000004
【図３】
2019096755.tif 000005
【図４】
2019096755.tif 000006
【図５】
2019096755.tif 000007
【図６】
2019096755.tif 000008
【図７】
2019096755.tif 000009